(57)【要約】【課題】遮蔽板を天板に容易に取付けることができ、その遮蔽板を支持する支持具の付加価値を高める。【解決手段】什器の天板１５の前端部に取付ける支柱２と、該支柱２に昇降可能に設けた昇降ポール３とからなり、前記支柱２には、天板１５の上面と下面を挟持するクランプ１６を設けるとともに、支柱２には前記昇降ポール３の昇降位置を保持する保持手段７を設け、前記昇降ポール３には遮蔽板２６などのオプションを取り付ける取付け手段２８を設ける。前記クランプ１６の上面に収納箱２３を設ける。前記昇降ポール３の前面に温度計、カレンダー、時計などのアクセサリー３１を設ける。【選択図】図２
2006006898.tif 000002
【特許請求の範囲】
【請求項１】
什器の天板の前端部に取付ける支柱と、該支柱に昇降可能に設けた昇降ポールとからなり、前記支柱には、天板の上面と下面を挟持するクランプを設けるとともに、支柱には前記昇降ポールの昇降位置を保持する保持手段を設け、前記昇降ポールにはオプションを取り付ける取付け手段を設けたことを特徴とする什器用支持具。
【請求項２】
什器の天板の前端部に取付ける支柱と、該支柱に昇降可能に設けた昇降ポールとからなり、前記支柱には、天板の上面と下面を挟持するクランプを設けるとともに、支柱には前記昇降ポールの昇降位置を保持する保持手段を設け、前記昇降ポールには遮蔽板を取り付ける取付け手段を設けたことを特徴とする什器用支持具。
【請求項３】
前記昇降ポールを遮蔽板における左右方向の中央部に取付けるようにした請求項２記載の什器用支持具。
【請求項４】
前記クランプの上面に収納箱を設けた請求項１又は２又は３記載の什器用支持具。
【請求項５】
前記クランプの上面に収納箱を取外し可能に設けた請求項１又は２又は３記載の什器用支持具。
【請求項６】
前記昇降ポールの前面に温度計、カレンダー、時計などのアクセサリーを設けたことを特徴とする請求項１乃至５のいずれかに記載の什器用支持具。
【請求項７】
前記昇降ポールの昇降位置を保持する保持手段を、前記支柱を中空状に形成して該中空部に昇降ポールを昇降可能に収納するとともに支柱の前後壁間に回転レバー付ねじを螺着して、この回転レバー付ねじを締め付けることにより支柱が昇降ポールを挟持して保持するように構成したことを特徴とする請求項１乃至６のいずれかに記載の什器用支持具。
【請求項８】
前記昇降ポールの昇降位置を保持する保持手段を、前記昇降ポールに、上下方向に適宜間隔を有して形成した複数の係止溝と、前記支柱に、前記係止溝に係止するストッパを設けて構成し、前記ストッパを、前記係止溝に係止したり離脱する係止爪と該係止爪を係止溝側へ付勢する付勢手段と該係止爪を前記係止溝から離脱するための操作端を設けて構成し、前記係止爪と係止溝との係合関係を、昇降ポールの下降は阻止し、昇降ポールの上昇は許容するようにした請求項１乃至６のいずれかに記載の什器用支持具。
【請求項９】
前記係止溝を前記昇降ポールの前面又は側面又は後面に形成し、前記ストッパを前記支柱の前面又は側面又は後面に設け、該ストッパの係止爪を前記係止溝側へ突出させ、ストッパの操作端を支柱の前面側又は側面側又は後面側から操作するように設けた請求項８記載の什器用支持具。
【請求項１０】
前記天板がデスクの天板やテーブルの天板などの作業を行う天板である請求項１乃至９のいずれかに記載の什器用支持具。
【発明の詳細な説明】
【技術分野】
【０００１】
本発明は什器用支持具に関する。
【背景技術】
【０００２】
従来、デスクの天板上部の前面を遮蔽するデスクトップパネルと、これを下降して膝を隠す幕板とを兼用した遮蔽板が知られており、この遮蔽板をデスクに取付ける方法として図１３に示すように、遮蔽板１０１の両側に支持金具１０２を挟み込むように設け、該両支持金具１０２を天板１０３の前端部に挟持的に取付けるとともに該両支持金具１０２に遮蔽板１０１を昇降可能に設けたものが知られている。
【発明の開示】
【発明が解決しようとする課題】
【０００３】
前記従来の遮蔽板の支持方法によると遮蔽板１０１を両側面で固定するため、図示破線のように遮蔽板を左方（又は右方）にずらした場合、右側の支持金具１０２が天板１０３より外れ、遮蔽板１０１を設置できない問題がある。
【０００４】
また、この支持金具１０２は、単に遮蔽板１０１を支持する機能のみである。
そこで本発明は、遮蔽板などのオプションの支持具に、オプションの昇降機能以外の機能も兼ね備えて、付加価値を高めるとともに、前記の問題も解決できる什器用支持具を提供することを目的とするものである。
【課題を解決するための手段】
【０００５】
前記課題を解決するために、請求項１記載の発明は、什器の天板の前端部に取付ける支柱と、該支柱に昇降可能に設けた昇降ポールとからなり、前記支柱には、天板の上面と下面を挟持するクランプを設けるとともに、支柱には前記昇降ポールの昇降位置を保持する保持手段を設け、前記昇降ポールにはオプションを取り付ける取付け手段を設けた什器用支持具である。
【０００６】
請求項２記載の発明は、什器の天板の前端部に取付ける支柱と、該支柱に昇降可能に設けた昇降ポールとからなり、前記支柱には、天板の上面と下面を挟持するクランプを設けるとともに、支柱には前記昇降ポールの昇降位置を保持する保持手段を設け、前記昇降ポールには遮蔽板を取り付ける取付け手段を設けたことを特徴とする什器用支持具である。
【０００７】
請求項３記載の発明は、請求項２記載の発明において、前記昇降ポールを遮蔽板における左右方向の中央部に取付けるようにしたものである。
【０００８】
請求項４記載の発明は、請求項１又は２又は３記載の発明において、前記クランプの上面に収納箱を設けたものである。
【０００９】
請求項５記載の発明は、請求項１又は２又は３記載の発明において、前記クランプの上面に収納箱を取外し可能に設けたものである。
【００１０】
請求項６記載の発明は、請求項１乃至５のいずれかに記載の発明において、前記昇降ポールの前面に温度計、カレンダー、時計などのアクセサリーを設けたものである。
【００１１】
請求項７記載の発明は、請求項１乃至６記載の発明において、前記昇降ポールの昇降位置を保持する保持手段を、前記支柱を中空状に形成して該中空部に昇降ポールを昇降可能に収納するとともに支柱の前後壁間に回転レバー付ねじを螺着して、この回転レバー付ねじを締め付けることにより支柱が昇降ポールを挟持して保持するように構成したことを特徴とするものである。
【００１２】
請求項８記載の発明は、請求項１乃至６のいずれかに記載の発明において、前記昇降ポールの昇降位置を保持する保持手段を、前記昇降ポールに、上下方向に適宜間隔を有して形成した複数の係止溝と、前記支柱に、前記係止溝に係止するストッパを設けて構成し、前記ストッパを、前記係止溝に係止したり離脱する係止爪と該係止爪を係止溝側へ付勢する付勢手段と該係止爪を前記係止溝から離脱するための操作端を設けて構成し、前記係止爪と係止溝との係合関係を、昇降ポールの下降は阻止し、昇降ポールの上昇は許容するようにしたものである。
【００１３】
請求項９記載の発明は、請求項８記載の発明において、前記係止溝を前記昇降ポールの前面又は側面又は後面に形成し、前記ストッパを前記支柱の前面又は側面又は後面に設け、該ストッパの係止爪を前記係止溝側へ突出させ、ストッパの操作端を支柱の前面側又は側面側又は後面側から操作するように設けたものである。
【００１４】
請求項１０記載の発明は、請求項１乃至９のいずれかに記載の発明において、前記天板がデスクの天板やテーブルの天板などの作業を行う天板としたものである。
【００１５】
なお、本発明の什器とは、上面で事をなす天板を有するデスクやテーブルや作業台などを意味するものである。
【発明の効果】
【００１６】
本発明によれば、天板の前端部に取付ける支柱に天板の上面と下面を挟持するクランプを設けることにより、天板の左右方向の任意の位置に支持具を取付けることができ、該支持具に遮蔽板などのオプションを装着した状態においては、該遮蔽板などのオプションの位置を天板の左右方向に調整することができる。また昇降ポールを設けるとともにこの昇降ポールの昇降位置を保持する保持手段を設けたことにより、昇降ポールを上下方向の任意の位置に取付けることが可能となる。そのため、昇降ポールに遮蔽板を装着することにより、遮蔽板が、例えばデスクの前面を遮蔽するデスクトップパネルと膝を隠す幕板とを兼用した機能を有し、かつ、高さも調整することができる。
【００１７】
また、前記クランプの上面に収納箱を設けたことにより、この収納箱に消しゴム、クリップなどの文具を収納でき、クランプの上面空間を有効利用することができる。
【００１８】
また、該収納箱を取外し可能とすることにより、用途に合わせた収納箱に交換することができる。例えば底の深い収納箱に交換すれば、ボールペンなどの筆記具を収納することができる。
【００１９】
また、前記昇降ポールの前面に温度計、カレンダー、時計などのアクセサリーを設けることにより、天板の上の空間の活用と、日常よく確認する情報を得やすくすることができる。
【００２０】
更に、前記支柱を遮蔽板における左右方向の中央部に取付けることにより、該一本の支持具で遮蔽板を保持して、この支柱を天板前面の左右方向の広い範囲に移動し、遮蔽板を天板の前面で左右方向の広い範囲で設置が可能となる。また、該支柱を天板の側面付近に配置することにより、天板の側面から左右方向に突出した位置にまで遮蔽板を配置することができる。更に、取付け位置の調整、変更を行う際には、この一本の支持具のみで、上下、左右方向の調整操作を容易に行うことができる。
【００２１】
更に、請求項８記載の発明によれば、昇降ポールを手で所望の高さまで持ち上げる操作でその位置が保持され、また、ストッパの押し操作で前記の保持を解除して昇降ポールの昇降が可能であるため、昇降ポールの高さ調整操作が容易である。
【００２２】
更に、請求項９記載の発明によれば、ストッパを支柱の前面に設けたものにおいては、ストッパを着席側から解除操作しやすい特徴があり、又、ストッパを支柱の側面に設けたものにおいては、支柱の前面を有効に利用でき、又、ストッパを支柱の後面に設けたものにおいては、ストッパを着席側から見えず、かつ、支柱の前面を有効に利用することができる。
【発明を実施するための最良の形態】
【００２３】
本発明を実施するための最良の形態を図１乃至図１２に示す実施例に基づいて説明する。
【００２４】
なお、デスク（机）とテーブルと作業台は一般的に明確に区分されない場合があり、事務机、会議用机、勉強机、作業台などはデスクともテーブルとも称されるため、本発明ではデスク、テーブル、その他の作業台も含めてデスクとも言う。
【００２５】
図に示す実施例は、本発明の支持具をデスクの天板に取付けるようにし、かつ、支持具に遮蔽板を取付けた実施例である。
【実施例１】
【００２６】
図１乃至図７は実施例１を示す。
図１において支持具１は支柱２と昇降ポール３とで構成されている。なお、支柱２と昇降ポール３において、着席側の面を前面とする。
【００２７】
前記支柱２は上下方向に長い中空部を有した薄い箱型となっており、かつ、横断面形状が左右方向に長い形状になっている。該支柱２の上下面には樹脂製の蓋４，５が装着されているが、上面の蓋４の中央には前記昇降ポールが上下方向にスライド可能に挿入できるよう穴６が設けられている。
【００２８】
該支柱２の前面上部には昇降ポール３の昇降位置を保持する保持手段７が設けられている。この保持手段７は、前記支柱２の側面の中央において、上端から下方に向かってスリット状の長穴８が設けられ、かつ、図７に示すように、長穴部に位置する前壁９の穴１０から後壁１１のねじ穴１２に回転レバー付ねじ１３が貫通螺着されて構成されている。この回転レバー付ねじ１３のレバー１３ａを締め方向に回転させることによって、支柱２の上部の前後壁９，１１が内面方向に撓み、この前後壁９，１１で前記昇降ポール３を挟持して昇降ポール３を任意の位置に保持できるようになっている。なお、前記回転レバー付ねじ１３は図１に示すように、昇降ポール３と干渉しないように、支柱２の側部に設けられている。なお、この保持手段７は，前記の回転レバー付ねじ１３とスリット状の長穴８の代わりに、支柱２の一方の側壁にねじ部材を貫通して螺着し、このねじ部材を締め付けることにより、昇降ポール３を押圧して昇降ポール３の所望の昇降位置を保持するように構成してもよい。
【００２９】
また、前記支柱２の前壁９には、デスク１４の天板１５の上面と下面を挟持するクランプ１６が設けられている。該クランプ１６は図６に示すように、コの字型の挟持板の下板１７に刻設されたねじ穴１８から、つまみ付きねじ棒１９が貫通して設けられており、そのねじ棒１９の上端部には下部挟持板２０が装着され、つまみ２１を締め方向に回転させることで下部挟持板２０が上昇し、上部挟持板２２とによって天板１５を挟む構造になっている。また、つまみ２１を緩め方向に回転させることにより下部挟持板２０が下降してクランプ１６を天板１５に対して左右方向に移動したり外すことができるようになっている。
【００３０】
更に、前記クランプ１６の上面、すなわち上部挟持板２２の上面には、消しゴム、クリップなどを収納できる収納箱２３が装着されている。前記上部挟持板２２にはねじ穴が刻設され、収納箱２３の底面に開けられた穴からねじ２４をねじ込むことにより収納箱２３を取り外し可能としている。これにより他の異なる形状の収納箱、例えば深い円筒型の箱と交換することで、ボールペンなどの長い文具をも収納することができる。
【００３１】
前記昇降ポール３は、上下方向に長く、また、後述するアクセサリー３１を取付けできるように前面の左右方向の幅が広い板状となっており、前記支柱２の中空部２５に昇降可能に挿入できるように形成されている。
【００３２】
また、昇降ポール３の上部には、該昇降ポール３に遮蔽板２６を取付ける取付け手段が設けられている。該取付け手段は、図の実施例ではねじ棒２８で行われているが、図６に示すように昇降ポール３と該昇降ポール３の裏面側に設けられた遮蔽板２６を固定するにあたり、昇降ポール３の上部裏面には円形の台座２７が固設されている。昇降ポール３と遮蔽板２６との間には前記支柱２の後壁１１が存在し、昇降ポール３と遮蔽板２６を相互に平行に設置するには空間が必要である。更に、支柱２と遮蔽板２６の間に隙間が存在しなければ昇降時に支柱２と遮蔽板２６とが干渉する。そのため該台座２７を設けて昇降ポール３と遮蔽板２６の間に一定量の隙間を確保するとともに遮蔽板２６との取付け面を広く取り安定固定できるようにしている。
【００３３】
前記昇降ポール３と該昇降ポール３に固設される円形の台座２７には、双方に連通するねじ棒２８を通す穴が設けられ、また、遮蔽板２６の上部にも穴を設け、これらの穴にねじ棒２８を通してナット２９を締めることにより昇降ポール３と遮蔽板２６を固定して、昇降ポール３に遮蔽板２６を保持している。該ねじ棒２８は、取り外し可能となっておりサイズの異なる遮蔽板２６との交換が行えるようになっている。
【００３４】
前記昇降ポール３の上部前面には温度計、カレンダー、時計などのアクセサリー３１を装着できる装着穴３０が設けられ、該装着穴３０にアクセサリー３１が設けられている。該装着穴３０は前記アクセサリー３１を取外し可能に取付けることができ、用途に合わせ所望のアクセサリー３１を選択し取付けることができるようになっている。これにより、日常よく確認する情報を目線の高さで知ることができる。
【００３５】
また、該昇降ポール３の上端部には保護カバー３２が装着され、昇降時の動作などで支障しないよう保護されている。
【００３６】
なお、前記支持具１に取付ける遮蔽板２６については、紙材、発泡材、木材などの軽い材質の基板を使用し、該基板の表面に布などの外装材を被せている。該遮蔽板２６を前記のように形成することにより、昇降ポール３の昇降負荷を低減するほか、遮蔽板表面が汚れた際には、外装材を外し洗濯することができる。また、他の外装材に交換することもでき好みに合わせた色を選択することができる。
【００３７】
次に使用状態について説明する。
使用に際しては、図２に示すように、昇降ポール３を遮蔽板２６の中央に取付けて遮蔽板２６に備えた支持具１の支柱２を、クランプ１６により天板１５の前端面に取付ける。また、一本の支柱２を遮蔽板２６の中央に設けたので、その天板１５を挟持するクランプ１６の取付け位置を左右に移動させることにより、図３に示すように遮蔽板２６の一方の端部を天板１５の左右幅の外側にまで位置させることが可能となり、更に、該支持具１が一本であることから、この移動作業も支持具一つの操作で行える。更には、クランプの挟持板２０につまみ２１が設けられていることから、工具を用いる必要もなく手動で容易に移動調整することができる。
【００３８】
また昇降ポール３を上昇させることにより、図４に示すように遮蔽板２６を上昇してデスクトップパネルとして使用でき、また、昇降ポール３を下降させることにより遮蔽板２６を下降して図５に示すように幕板として使用でき、遮蔽板２６をデスクトップパネルと幕板の双方に兼用できる。更に、該昇降ポール３を保持する保持手段７の締め操作により、遮蔽板２６を昇降における任意の高さ位置に調整して固定でき、使用者の用途に合わせてデスクトップパネルと幕板との中間位置などに調整することもできる。更に、前述の左右方向の調整と同様に、一本の昇降ポール３を昇降させるのみでよいことから、昇降作業も容易であり、また保持手段７の操作をレバー１３ａの回転で行うようにしたことから、工具を使う必要がなく手動で容易に調整することができる。
【００３９】
また、遮蔽板２６の取付けにおいては図６に示すように支持具１の昇降ポール３の背面に台座２７を固定して設けたので遮蔽板２６を支柱２と干渉することなく昇降させることができる。
【００４０】
なお、前記実施例は、昇降ポール３に遮蔽板２６を取付けた実施例であるが、この遮蔽板２６や物を掛ける金網や物を載置する棚や小物入れなどのオプションを取付け手段によって昇降ポール３に取付けてもよい。
【実施例２】
【００４１】
図８乃至図１０は実施例２を示す。
本実施例２は、前記実施例１における昇降ポールの昇降位置を保持する保持手段７の他の例を示すものである。
【００４２】
支柱２は前記実施例１と同様に、上端が開口した中空部２５を有する薄い箱型に形成されている。また、該支柱２には、前記実施例１におけるスリット状の長穴８は形成されていない。
【００４３】
前記支柱２の中空部２５内には昇降ポール３が昇降可能に挿通されている。該昇降ポール３の前面側には、上下方向に長い係止板４０が、その表面（前面）を昇降ポール３の前面と面一にして埋設されている。該係止板４０の前面には、水平方向の溝からなる係止溝４１が複数、上下方向に適宜間隔を有して形成されている。
【００４４】
前記支柱２の前面にはストッパ４２が設けられている。実施例２では、該ストッパ４２が前記クランプ１６の上部に位置して設けられている。
【００４５】
ストッパ４２について図９及び図１０により説明する。
ストッパ４２を支承する支持部材４３は、図１０に示すように、両側壁４３ａ，４３ｂと、これらを背部において連結する基板４３ｃとを一体形成して構成され、その基板４３ｃには取付穴４３ｄが形成されている。更に、基板４３ｃは両側壁４３ａ，４３ｄよりも低く形成され、その上部に空間部４３ｅが形成されている。そして、該支持部材４３は、その取付穴４３ｄを通じてねじ４４により支柱２の前壁９に取付けられている。
【００４６】
前記支持部材４３における両側壁４３ａ，４３ｂ間にはストッパ４２が嵌合配置されているとともに、両側壁４３ａ，４３ｂに形成した穴４３ｆ，４３ｇと、ストッパ４２に水平に貫通形成した軸穴４５に回転軸４６を挿通して、ストッパ４２が水平な回転軸４６を中心として前後方向に回動するように備えられている。
【００４７】
前記ストッパ４２には、その軸穴４５より上部に位置して後方（昇降ポール側）へ突出する係止爪４７が一体形成されており、その先端は上下方向において突曲面に形成されている。該係止爪４７は、前記支持部材４３の空間部４３ｅと、前記支柱２の前壁９に形成された窓４８を通って支柱２内の空間部２５内へ突入できるようになっている。そして、該係止爪４７の先部が図９に示すように、前記昇降ポール３に形成した係止溝４１に嵌入係止するようになっている。なお、前記窓４８は、ストッパ４２が回転軸４６を中心として回転した際にその係止爪４７が回動できるように、上下方向に長い穴で形成されている。
【００４８】
前記ストッパ４２には操作端４９が形成されており、該操作端４９は、図９に示すように、前記回転軸４６部より下方へ、かつ、回転軸４６部より前方において垂れ下がるように薄板状で形成されており、該操作端４９の裏面と支柱２の前壁９間に空隙５０が設けられている。更に、前記回転軸４６には付勢手段であるコイルスプリング５１が巻装され、該コイルスプリング５１の一端５１ａが支持部材４３の基板４３ｃに係止し、他端５１ｂが操作端４９の裏面に係止して、該コイルスプリング５１により、ストッパ４２を図９において時計方向に回動するように常時付勢している。したがって、ストッパ４２の係止爪４７が図９に示すように係止溝４１に嵌合している状態がコイルスプリング５１により保持され、この状態から操作端４９を手操作で前方から矢印Ｐのように押すと、ストッパ４２が回転軸４６を中心して反時計方向に回動して、係止爪４７が係止溝４１から離脱するようになっている。
【００４９】
なお、前記ストッパ４２の係止爪４７と操作端４９は樹脂により一体形成され、更に、ストッパ４２の中央部の裏側には凹部５２を形成して、該凹部５２において前記コイルスプリング５１を回転軸４６に巻装している。
【００５０】
前記の係止溝４１とストッパ４２により保持手段７を構成している。
その他の構造は前記実施例１と同様であるため、前記と同一部分には前記と同一符号を付してその説明を省略する。
【００５１】
以上の構成において、図９に示すように、係止爪４７が係止溝４１に係止して昇降ポール３が所望の高さの位置で保持されている状態から、昇降ポール３を更に高い位置におく際には、手操作により昇降ポール３を引き上げる。この引き上げにより、係止爪４７は係止溝４１により上方へ押し上げられ、そのストッパ４２は、コイルスプリング５１の付勢力に抗し、回転軸４６を中心として図９において反時計方向に回転し、係止爪４７が係止爪溝４１より離脱する。そして、更に昇降ポール３を引き上げると、係止爪４７が昇降ポール３に設けた係止板４０の前面に当接したり下方の係止溝４１に嵌合し、これを繰り返して昇降ポール３が上昇する。そして、昇降ポール３を所望の高さに引き上げ、その位置における係止溝４１に係止爪４７を嵌合係止させて停止させる。これにより、昇降ポール３を所望の位置に保持することができる。
【００５２】
また、前記の昇降ポール３を下降させる際には、手操作によりストッパ４２の操作端４９を矢印Ｐ方向へ押す。これにより、ストッパ４２がコイルスプリング５１の付勢手段に抗して回転軸４６を中心に図９において反時計方向に回転し、係止爪４７が係止溝４１から離脱する。そのため、操作端４９を押しつつ昇降ポール３を手で持って、その自重を利用して所望の位置まで下降させる。そして、所望の下降位置でストッパ４２から手を離し、その位置における係止溝４１を係止爪４７部に位置させると、コイルスプリング５１の付勢力によりストッパ４２が時計方向に回動してその係止爪４７が係止溝４１に嵌合係止し、昇降ポール３のその位置が保持される。
【００５３】
本実施例２においても前記実施例１と同様の効果を発揮する上に、本実施例２によれば、昇降ポールの保持とその解除操作が、手操作によるストッパ４２の押しとその解除、すなわち、押しボタン式で行えるので、前記実施例１の回転レバー付きねじ１３の回動操作に比べて操作が容易で、かつ、外観的にも良い。
【実施例３】
【００５４】
前記実施例２においては、係止溝４１を昇降ポール３の前面に設け、ストッパ４２を支柱２の前面に設けたが、図１１に示すように、前記と同様の係止溝４１を昇降ポール３の側面に設け、前記と同様のストッパ４２を支柱２の側面に設けてもよい。このようにすると、支柱２の前面を有効に利用することができる。
【実施例４】
【００５５】
図１２は実施例４を示す。
本実施例４は、前記と同様の係止溝４１を昇降ポール３の後面に設け、前記と同様のストッパ４２を支柱２の後面に設けたものである。すなわち、係止溝４１とストッパ４２を、図９に示す構造に対して、前後方向において反対側に設けたものである。
【００５６】
すなわち、前記と同様の係止溝４１を、昇降ポール３の後面において、複数個、上下方向に適宜間隔を有して設け、また、前記と同様の構造からなるストッパ４２を支柱２の後壁１１の後面に設け、更に、後壁１１には前記窓４８を設けたものである。そして、前記ストッパ４２の係止爪４７を前記窓４８を通じて昇降ポール３の後面に設けた係止溝４１に係止させるようにしたものである。
【００５７】
また、昇降ポール３に前記のように遮蔽板２６を設ける場合には、その遮蔽板２６に、前記ストッパ４２が位置する部分に、上下方向に長い長穴２６ａを形成して、ストッパ４２を後側から操作でき、かつ、遮蔽板２６の昇降時において遮蔽板２６とストッパ４２とが干渉しないようにする。
【００５８】
その他の構造は図８乃至図１０に示す前記実施例２と同様である。
本実施例によれば、前記実施例２と同様の作用、効果を発揮できる上に、ストッパ４２が着席側から見えず、また、支柱２の前面を有効に利用することができる。
【産業上の利用可能性】
【００５９】
本発明の支持具は、デスクやテーブルや、その他の作業台などに適用できるものである。
【図面の簡単な説明】
【００６０】
【図１】本発明の支持具の実施例１を示す斜視図。
【図２】図１の支持具を用いて遮蔽板を天板に取付けた正面図。
【図３】図２の状態から遮蔽板と支持具を左側へずらした状態の正面図。
【図４】図２の側面図。
【図５】図４の状態から遮蔽板を下降した側面図。
【図６】本発明の支持具の側断面図。
【図７】図１における回転レバー付きねじ部の拡大側断面図。
【図８】本発明の支持具の実施例２を示す斜視図。
【図９】図８における保持手段部の拡大側断面図。
【図１０】図８における支持部材とストッパを示す分離斜視図。
【図１１】本発明の支持具の実施例３を示す斜視図。
【図１２】本発明の支持具の実施例４を示す側断面図。
【図１３】従来の支持装置を示す正面図。
【符号の説明】
【００６１】
１      支持具
２      支柱
３      昇降ポール
７      保持手段
１５    天板
１６    クランプ
２３    収納箱
２６    遮蔽板
２８    取付け手段であるねじ棒
３１    アクセサリー
４１    係止溝
４２    ストッパ
４７    係止爪
４９    操作端
５１    付勢手段
【図１】
2006006898.tif 000003
【図２】
2006006898.tif 000004
【図３】
2006006898.tif 000005
【図４】
2006006898.tif 000006
【図５】
2006006898.tif 000007
【図６】
2006006898.tif 000008
【図７】
2006006898.tif 000009
【図８】
2006006898.tif 000010
【図９】
2006006898.tif 000011
【図１０】
2006006898.tif 000012
【図１１】
2006006898.tif 000013
【図１２】
2006006898.tif 000014
【図１３】
2006006898.tif 000015